(57)【要約】      （修正有）【課題】換気バランスを向上させるとともに、衛生環境を向上させる畜舎を提供する。【解決手段】ＦＲＰを主体として構成され、横置きに設置される筐体２と、筐体２の軸方向に並設される床５Ａ、５Ｂと、その上方に設けられた飼育室１００Ａ、１００Ｂと、床５Ａ、５Ｂの下方にそれぞれ設けられた床下空間１０１と、飼育室１００Ａ、１００Ｂの間に設けられて、各飼育室の空気を排気する換気部６と、各飼育室に設けられ、各飼育室内に外気を給気する給気部３１と、を備え、床５Ａ、５Ｂは、各飼育室で飼育される家畜の糞尿が落下可能な複数の孔部を有し、換気部６は、内壁同士に挟まれ床下空間１０１と連通する換気空間６００および換気装置６３を備えており、換気装置６３は、換気部６を挟んで隣り合う飼育室１００Ａ、１００Ｂ内の空気を、孔部と床下空間１０１とを介して換気空間６００に導入し、筐体２外に排気する。【選択図】図１
0003226692.tif 000002
【実用新案登録請求の範囲】
【請求項１】
ＦＲＰを主体として構成され、横置きに設置される筐体と、
前記筐体の軸方向に並設される少なくとも二枚の床と、
各前記床ごとに、当該床の上方に設けられた飼育室と、
前記床の下方にそれぞれ設けられた床下空間と、
前記飼育室の間に設けられて、前記飼育室の空気を排気する換気部と、
前記飼育室に設けられ、前記飼育室内に外気を給気する給気部と、を備え、
前記床は、前記飼育室で飼育される家畜の糞尿が落下可能な複数の孔部を有し、
前記換気部は、内壁同士に挟まれ前記床下空間と連通する換気空間および換気装置を備えており、
前記換気装置は、前記換気部を挟んで隣り合う各前記飼育室内の空気を、前記孔部と前記床下空間とを介して前記換気空間に導入し、前記筐体外に排気することを特徴とする畜舎。
【請求項２】
前記換気部は、隣り合う前記飼育室を行来可能な内部通路を備え、
前記内部通路の両端には開閉自在な内部扉が設けられていることを特徴とする請求項１に記載の畜舎。
【請求項３】
前記換気部の上部に、前記飼育室と通じる開閉自在な内部窓を備えることを特徴とする請求項１または請求項２に記載の畜舎。
【考案の詳細な説明】
【技術分野】
【０００１】
本考案は、畜舎に関する。
【背景技術】
【０００２】
特許文献１には、樹脂製の筐体と、下方に糞尿溜め空間が形成されるように筐体内に水平状に設置され、家畜の糞尿の落下孔を形成した家畜載置用の床材と、筐体の上部に取り付けられ、舎内の空気を外部に排出する換気扇と、一端が糞尿溜め空間に臨み、他端が換気扇に臨む換気管を設けた畜舎が開示されている。
【先行技術文献】
【特許文献】
【０００３】
【特許文献１】実用新案登録第３１４８４５５号公報
【考案の概要】
【考案が解決しようとする課題】
【０００４】
特許文献１の畜舎においては、筒状筐体の端部に設けられた換気扇が、畜舎全体の空気を排気する。このような構成であると、換気扇から遠い場所と近い場所とで換気バランスが悪くなるという問題がある。また、床下の糞尿溜めから発生する気体が床上に流入すると飼育室の衛生環境が悪くなるという問題がある。
【０００５】
以上を踏まえ、本考案の畜舎は、畜舎内の換気バランスを向上させるとともに、畜舎内の衛生環境を向上させることを課題とする。
【課題を解決するための手段】
【０００６】
前記課題を解決するため、本考案の畜舎は、ＦＲＰを主体として構成され、横置きに設置される筐体と、前記筐体の軸方向に並設される少なくとも二枚の床と、各前記床ごとに、当該床の上方に設けられた飼育室と、前記床の下方にそれぞれ設けられた床下空間と、前記飼育室の間に設けられて、前記飼育室の空気を排気する換気部と、前記飼育室に設けられ、前記飼育室内に外気を給気する給気部と、を備え、前記床は、前記飼育室で飼育される家畜の糞尿が落下可能な複数の孔部を有し、前記換気部は、内壁同士に挟まれ前記床下空間と連通する換気空間および換気装置を備えており、前記換気装置は、前記換気部を挟んで隣り合う各前記飼育室内の空気を、前記孔部と前記床下空間とを介して前記換気空間に導入し、前記筐体外に排気する。
【０００７】
本考案によれば、二つの飼育室の間に設けられた換気部に、両飼育室の空気を集約して排気することにより、畜舎全体をバランスよく換気する事ができる。また、畜舎内を複数の飼育室に分割することにより、飼育室の温度管理を容易に行うことができる。さらに、畜舎内の空気を飼育室から床下空間に流入させて排気することにより、床下空間に落下した糞尿の臭気やガスが飼育室に流入することを防ぎ、飼育室を衛生的に保つことができる。
【０００８】
さらに、前記換気部は、隣り合う前記飼育室を行来可能な内部通路を備え、前記内部通路の両端には開閉自在な内部扉が設けられていることが好ましい。
【０００９】
本考案によれば、隣り合う飼育室間で家畜を行来させることができる。
【００１０】
さらに、前記換気部の上部に、前記飼育室と通じる開閉自在な内部窓を備えることが好ましい。
【００１１】
本考案によれば、飼育室内の空気を換気装置へと送る流路として、床下空間だけでなく内部窓も利用することが可能になり、換気バランスをより向上させることができる。
【考案の効果】
【００１２】
本考案によれば、畜舎内の換気バランスを向上させるとともに、畜舎内の衛生環境を向上させることができる。
【図面の簡単な説明】
【００１３】
【図１】本考案の第一実施形態に係る畜舎の斜視図である。
【図２】第一実施形態に係る畜舎の平面図である。
【図３】第一実施形態に係る畜舎の内壁を示す、図２のＡ−Ａ断面図である。
【図４】第一実施形態に係る畜舎の換気装置を示す、図２のＢ方向矢視図である。
【図５】第一実施形態に係る畜舎の非常換気装置を示す、図２のＣ方向矢視図である。
【図６】第一実施形態に係る畜舎の非常換気装置の概略図である。
【図７】第一実施形態に係る畜舎の側壁を示す、図２のＤ−Ｄ矢視図である。
【図８】第一実施形態に係る畜舎の内部空間における空気の流れを示す、図２のＥ−Ｅ断面図である。
【図９】第一実施形態に係る畜舎の内部空間における空気の流れを示す、図２のＥ−Ｅ断面図である。
【図１０】第二実施形態に係る畜舎の斜視図である。
【考案を実施するための形態】
【００１４】
以下、本考案の実施をするための形態を、適宜図面を参照しながら詳細に説明する。各図は、本考案を十分に理解できる程度に、概略的に示してあるに過ぎない。よって、本考案は、図示例のみに限定されるものではない。なお、各図において、共通する構成要素や同様な構成要素については、同一の符号を付し、それらの重複する説明を省略する。
【００１５】
＜第一実施形態＞
［畜舎の全体構造］
図１は本考案の第一実施形態の畜舎１を示す斜視図である。畜舎１は、筒状筐体２、側壁３、取り付け台座４を備える。筒状筐体２は、その両端を側壁３，３によって閉塞されており、筒軸方向が横方向になるように設置され、取り付け台座４によって姿勢を維持される。
【００１６】
（筒状筐体）
筒状筐体２は、飼育室１００Ａ，１００Ｂ，床５Ａ，５Ｂ，床下空間１０１，換気部６を備える。筒状筐体２の寸法は、収容する家畜の数にもよるが、例えば子豚５０〜１００頭程度を収容する場合は外径約２．５メートル、長さ約１０メートル程度とする。筒状筐体２の形状としては様々な筒状形状が採用可能であるが、本実施形態のような円筒形状が、形成が容易であること、汚れの固着しやすい隅を減少させられること等から好ましい。
【００１７】
筒状筐体２は、繊維強化プラスチック（Fiber Reinforced Plastics、ＦＲＰ）を主体として構成される。ＦＲＰを主体として筒状筐体２を構成することで、高強度の筒状筐体２を安価に得ることができる。筒状筐体２の内側の壁面は、糞尿がこびり付きにくいように鏡面状に形成されることが好ましい。
【００１８】
筒状筐体２は、断熱効果を高めるために、二枚のＦＲＰ層で断熱材層を挟み込んだ多層構造とすることが好ましい。断熱材層としては、筒状筐体２の内面側から、複数枚の発泡ポリエチレンシート、ポリエチレンシートとアルミニウムシートとを重ね合わせた断熱シートの順に重ねることが好ましい。
【００１９】
筒状筐体２は一体的に形成されるが、筒状筐体２と側壁３との繋ぎ目には、視認不能な微小な隙間が残るおそれがあり、微量の水分がこの隙間から筒状筐体２や側壁３の壁面内に侵入するおそれがある。筒状筐体２の壁面内の断熱材層に例えばグラスウール等を使用すると、スポンジ状の断熱材が水を蓄えてしまい、筒状筐体２の重量が増して運搬不能になるおそれがある。本実施形態のように断熱材としてポリエチレンシートを用いることにより、断熱材層の吸水を防止することができる。また、断熱シートの一部としてアルミウムシートを挟むことにより、太陽光由来の熱や紫外線等が筒状筐体２に侵入することを抑制できる。発泡ポリエチレンシートの厚さや枚数は特に限定されないが、例えば、厚さ３ミリメートル程度の発泡ポリエチレンシートを６枚程度用いることが、断熱性を確保でき、かつ筒状筐体２の厚さを抑えることができるため好ましい。
【００２０】
筒状筐体２は、ガラスロービングに樹脂を含浸させながら型に巻きつけて成形する製法、いわゆるフィラメントワインディング製法で製造してもよいし、半硬化状態のＦＲＰシートを金型に巻きつけてパイプ状に成形する製法、いわゆるシートワインディング製法で製造してもよい。フィラメントワインディング製法は、型の外側に巻きつける外巻き式でもよいし、型の内側に巻きつける内巻き式でもよい。ガラスロービング製法、シートワインディング製法のどちらの製法も、上述の断熱性に優れる多層構造の筒状筐体２を、低コストかつ容易に製造することができるため好ましい。
【００２１】
飼育室１００Ａ，１００Ｂは、家畜を飼育するための空間である。飼育室１００Ａは、筒状筐体２の上部、一方側の側壁３の上部、床５Ａ、換気部６に囲まれている。飼育室１００Ｂは、筒状筐体２の上部、他方側の側壁３の上部、床５Ｂ、換気部６に囲まれている。飼育室１００Ａ，１００Ｂの室内高さは１．７ｍ以上であることが好ましく、１．８ｍ程度以上であることがより好ましい。このような室内高さにより、腰をかがめることなく清掃や給餌等の作業を実施可能になり、畜舎１内における諸作業の負担を軽減させることができる。なお、飼育室１００Ａ，１００Ｂの室内高さとは、床５Ａ，５Ｂから筒状筐体２の断面中央上端までの距離を指す。
【００２２】
筒状筐体２の内部空間を一つの大きな飼育室として使用するのではなく、飼育室１００Ａ，１００Ｂに分割して使用することにより、各飼育室の温度の均一化を容易にし、温度管理を容易にすることができる。また、筒状筐体２のサイズに対して家畜の頭数が少ない場合は、飼育室１００Ａ，１００Ｂの片方だけを使用することにより、室温を適温に保つことができる。気温の上昇する夏場等は、飼育頭数が少ない場合であっても飼育室１００Ａ，１００Ｂの両方を使用することにより、室温を適温に保つことができる。
【００２３】
床下空間１０１は、筒状筐体２の内部空間における、床５Ａ，５Ｂよりも下方の空間であり、飼育室１００Ａ，１００Ｂから落下する糞尿を一時的に集積させることができる。床下空間１０１の床下高さは５０〜８０ｃｍ程度である。なお、床下高さとは、筒状筐体２の内側の壁面の下端から床５Ａ，５Ｂまでの距離を指す。
【００２４】
床５Ａ，５Ｂには、複数の孔部（図示省略）が形成される。この孔部により、家畜の糞尿を床下空間１０１に落下させることができる。また、この孔部により、飼育室１００Ａ，１００Ｂの空気を床下空間１０１に流入させることもできる。床５Ａ，５Ｂの具体例としてはスノコや打抜き金網等であり、そのスリットや網目が孔部に相当する。
【００２５】
床５Ａ，５Ｂは筒状筐体２の筒軸方向に並設される。床５Ａは側壁３と接し、床５Ｂはもう一方の側壁３と接し、床５Ａと床５Ｂとの間にはスペースが設けられる。床５Ａ，５Ｂの間隔は、後述する換気装置６３（換気扇）の幅より長ければ特に限定されず、例えば４０〜９０センチメートル程度とすることができる。
【００２６】
（換気部）
換気部６は、床５Ａ，５Ｂ間のスペースの上に、換言すれば飼育室１００Ａと１００Ｂの間に設けられており、飼育室１００Ａ，１００Ｂ内の空気を集約して排気する。
【００２７】
換気部６は、内壁６０Ａ，６０Ｂ、換気空間（ダクトリング）６００、換気装置６３を備えており、非常換気装置６４（図５参照）を備えることが好ましい。換気部６は、換気空間６００を貫いて飼育室１００Ａと飼育室１００Ｂとを繋げる内部通路６２０を備えることがより好ましい。内部通路６２０は、床５Ａ，５Ｂと面一に配置された連絡路６２１を備え、隣り合う飼育室１００Ａ，１００Ｂ間における家畜の行来を可能とする。
【００２８】
（内壁）
内壁６０Ａは、床５Ａの端部から立ち上がり、飼育室１００Ａと換気空間６００とを分割する。内壁６０Ｂは、床５Ｂの端部から立ち上がり、飼育室１００Ｂと換気空間６００とを分割する。図３は、畜舎１の平面図である図２のＡ−Ａ断面図であり、内壁６０Ａを示す。なお、飼育室１００Ｂ側の内壁６０Ｂも同様の構造であるため、ここでは内壁６０Ａについてのみ説明する。
【００２９】
内壁６０Ａは、内部扉６２および内部窓６１を備えることが好ましい。内壁６０Ａは、家畜に飲料水を提供するためのドリカップ、餌箱等を内部扉６２の両脇に備えていてもよい。内部窓６１は、開閉自在な窓であり、開放することによって飼育室１００Ａと換気空間６００を連通させる。
【００３０】
内部扉６２は、内部通路６２０の端に設置され、例えば上下方向に開閉自在な扉であり、飼育室１００Ａ，１００Ｂ間の行来を可能にしたり、制限したりする。内部扉６２としては、扉の反対側を視認できないものが好ましい。内部扉６２で隣の飼育室１００Ｂ内を不可視とすることで、家畜のストレスを軽減することができる。特に豚のような家畜は、視認可能な空間があるにも関わらず当該空間に移動できないという状況を認識すると、ストレスを増大させることがある。
【００３１】
（換気空間）
換気空間（ダクトリング）６００は、内壁６０Ａと内壁６０Ｂとに挟まれた空間であり、床下空間１０１と連通し、汚れた空気が床下空間１０１から後述の換気装置６３へと向かう際の空気の経路となる。
【００３２】
（換気装置）
換気装置６３は、換気空間６００内の空気を筒状筐体２外に排出する。図４は、畜舎１の平面図である図２のＢ方向矢視図であり、畜舎１の外側から見た換気装置６３を示している。換気装置６３は、空気の排出機能を有する装置であれば特に限定されず、例えば換気扇等を使用できる。換気装置６３は、筒状筐体２の外に空気を排気するために、外に面していることから、雨等から保護するためのカバーが取り付けられていることが好ましい。
【００３３】
（非常換気装置）
非常換気装置６４は、停電などにより換気装置６３が停止したとき、換気機能を一時的に代替する非常用装置である。図５は畜舎１の平面図である図２のＣ方向矢視図であり、畜舎１の外側から見た非常換気装置６４を示している。
【００３４】
畜舎１は、臭気が外部に漏れないように、換気装置６３および図７で後述する給気部３１、３２１を除いてほぼ密閉構造となっている。よって、停電等で換気装置６３が停止した場合、畜舎１内の空気の流れは停滞し、家畜の酸欠を引き起こすおそれがある。非常換気装置６４は、この問題を回避するものである。
【００３５】
図６に非常換気装置６４の概略図を示す。非常換気装置６４は矩形状の非常換気口（不図示）、非常換気扉６４７、開閉装置を備える。
【００３６】
非常換気扉６４７は、ヒンジ６４８および被係止孔具６４９を備え、非常換気口を閉じるものである。ヒンジ６４８は、付勢機構としてバネを備えており、非常換気扉６４７を回動開閉させる。被係止孔具６４９は、開閉装置の係止棒部６４６を下方から挿入されることにより、非常換気扉６４７の回動を制止する。
【００３７】
開閉装置は、電磁ソレノイド６４１、連結部材６４２、コイルばね６４３、ワイヤ６４４、錘６４５、係止棒部６４６を備え、非常換気扉６４７の開閉を制御する。
【００３８】
電磁ソレノイド６４１は、下方に延びるロッド６４１Ａを備える。ロッド６４１Ａは、連結部材６４２、コイルばね６４３、ワイヤ６４４を介して、係止棒部６４６と連結されている。ワイヤ６４４の下端には錘６４５が連結されている。係止棒部６４６は、被係止孔具６４９に挿入されることにより、非常換気扉６４７の回動を制止する。
【００３９】
ロッド６４１Ａは通常時には縮退しており、停電時には伸張する。停電時にロッド６４１Ａが下方に伸張すると、ワイヤ６４４が錘６４５の重量によって下方に引っ張られることにより、ワイヤ６４４と連結された係止棒部６４６が被係止孔具６４９から抜ける。これにより、ヒンジ６４８のバネ付勢力によって非常換気扉６４７が開き、非常換気口が開放される。
【００４０】
電磁ソレノイド６４１、ロッド６４１Ａ、連結部材６４２、コイルばね６４３は、ハウジング６４０に収容されることにより、雨風等から保護されることが好ましい。このような非常換気装置６４によれば、電磁ソレノイド６４１を利用することで簡単な構成でかつ確実に非常換気を行うことができる。
【００４１】
（側壁）
図７は、畜舎１の平面図である図２のＤ−Ｄ矢視図であり、畜舎１の外から見た側壁３（側壁３の外面）を示している。側壁３，３は筒状筐体２の両端を閉塞する。側壁３，３は円板状であり、給気部３１、扉３２を備え、少なくとも片方の側壁３はオーバーフロー管３３を備える。
【００４２】
給気部３１は、側壁３の上部かつ扉３２の横に設けられており、筒状筐体２内に外気を給気する。給気部３１は、側壁３の内面側にフード３４を備える（図１参照）。フード３４は、給気部３１の吹出口が上を向くように設置されている。給気部３１としては、送風機、窓等を採用できるが、給気を確保しつつ低コストで簡易に設置できる点で窓が好ましく、外気を取り込む開口部のサイズを簡便に調整でき、かつ、整備が簡易である点から、スライド窓等がより好ましい。また、給気部３１には防虫網ゲート（網戸）を使用することも可能である。給気部３１に防虫網ゲートを用いれば、昆虫等の媒介者が筒状筐体２内に侵入することを抑制することにより、内部の家畜を感染症から保護することができる。
【００４３】
扉３２は、側壁３の中央部付近に設けられ、人員および家畜が出入りする。扉３２はその上部に給気部３２１を備える。給気部３２１の構成は給気部３１と同様であり、給気部３１と同様に防虫網ゲートを用いることもできる。オーバーフロー管３３は、床下空間１０１に溜まった糞尿を筒状筐体２の外に排出する。
【００４４】
［筐体内の空気の流れ］
次に、畜舎１によって実現する筒状筐体２内の空気の流れについて説明する。図８に図２のＥ−Ｅ断面図を示す。図８には、筒状筐体２内の空気の流れが矢印で示されている。
【００４５】
給気部３１から飼育室１００Ａに流入した空気は、フード３４によって天井に向かった後、床５Ａの孔部から床下空間１０１に流入する。さらに、床下空間１０１から換気空間６００に流入し、換気装置６３から排気される。
【００４６】
給気部３１から飼育室１００Ｂに流入した空気は、フード３４によって天井に向かった後、床５Ｂの孔部から床下空間１０１に流入する。さらに、床下空間１０１から換気空間６００に流入し、換気装置６３から排気される。
【００４７】
図８の形態に加え、図９に示すように内部窓６１を開くと、飼育室１００Ａ，１００Ｂ内の空気を、床下空間１０１を介さずに換気空間６００に送り込み、換気装置６３から排気することも可能となる。飼育室１００Ａ，１００Ｂ内の空気を換気装置６３から直接換気することにより、畜舎１の換気バランスをより向上させつつ、筒状筐体２内の換気効率を向上させて室温を調整することができる。
【００４８】
以上説明した本実施形態によれば、飼育室１００Ａ内の空気と飼育室１００Ｂ内の空気を、両飼育室間の換気部６に集約して排気することにより、内部の空気をバランスよく換気することが可能となる。このような特徴は、特に細長い筐体内の換気バランスを向上するために有効である。
【００４９】
また、フード３４によって気流を一旦天井に向かわせることにより、給気部３１，３２１から強風が吹き込んだ場合でも、天井で拡散された肌当たりの柔らかい気流の中で家畜を飼育することができる。
【００５０】
また、飼育室１００Ａ，１００Ｂから床下空間１０１へと向かう空気の流れにより、床下空間１０１に落下した糞尿の発する臭気やガスが飼育室１００Ａ，１００Ｂに流入することを抑制し、飼育室１００Ａ，１００Ｂを衛生的に保つことができる。このような構成は、家畜の健康状態を向上するだけでなく、飼育室１００Ａ，１００Ｂの清掃や家畜への給餌等を行う作業者の負担を軽減することもできる。
【００５１】
本実施形態の畜舎１は様々な家畜の飼育に適しているが、ほぼ密閉された構造により感染症の侵入を抑制することができ、良好な換気バランスにより飼育室１００Ａ，１００Ｂを衛生的に保つことが可能であり、室温の管理も容易であるという特徴から、疾病や気温変化への抵抗の弱い子豚の飼育等に特に適している。
【００５２】
＜第二実施形態＞
図１０は本考案の第二実施形態の畜舎１Ａを示す斜視図である。以降、本実施形態では、第一実施形態の畜舎１との相違点を重点的に説明していく。
【００５３】
（換気部）
畜舎１Ａの換気部６Ａは、内壁６０Ｃ，６０Ｄ、換気空間６００Ａ、換気装置６３を備えており、第一実施形態と同じく非常換気装置６４（図５参照）を備えることが好ましい。換気部６Ａは、換気空間６００Ａを貫いて飼育室１００Ａと飼育室１００Ｂとを繋げる内部通路６２０Ａを備えることがより好ましい。内部通路６２０Ａは、床５Ａ，５Ｂと面一に配置された連絡路６２１Ａを備え、隣り合う飼育室１００Ａ，１００Ｂ間における家畜の行来を可能とする。畜舎１Ａの内部通路６２０Ａの幅および高さは、畜舎１の内部通路６２０よりも大きくなっている。
【００５４】
（内壁）
畜舎１Ａの内壁６０Ｃ，６０Ｄは、内部窓６１および内部扉６２を備えない点で畜舎１の内壁６０Ａ，Ｂと異なる。内壁６０Ｃ，６０Ｄは、家畜に飲料水を提供するためのドリカップ、餌箱等を備えていてもよい。
【００５５】
（換気空間）
換気空間６００Ａは、内壁６０Ｃと内壁６０Ｄとに挟まれた空間であり、床下空間１０１と連通し、汚れた空気が床下空間１０１から換気装置６３へと向かう際の空気の経路となる。換言すれば、換気空間６００Ａとは、内部通路６２０Ａの周囲にリング状に存在するダクト（ダクトリング）である。
【００５６】
（換気装置）
換気装置６３は、換気空間６００Ａの上に設置され、換気空間６００内の空気を筒状筐体２外に排出する。つまり、本実施形態においては、換気装置６３は畜舎１Ａの天辺、すなわち、内部通路６２０Ａの周囲のダクトリングである換気空間６００Ａの天辺に、上方に突き出すように配置されている。換気空間６００Ａと換気装置６３とをこのように配置することで、換気扇６３は、飼育空間１００Ａ，１００Ｂから床下空間１０１に流れ込んだ空気を、内部通路の６２０Ａの両脇からバランス良く吸い上げ、効率よく排出することができる。
【００５７】
（側壁）
側壁３Ａ，３Ａは筒状筐体２の両端を閉塞する。側壁３Ａ，３Ａは円板状であり、給気部３１，扉３２，連続ファン３５を備え、少なくとも片方の側壁３Ａはオーバーフロー管３３を備える。畜舎１Ａの側壁３Ａは、連続ファン３５を備える点で畜舎１の側壁３と相違する。
【００５８】
連続ファン３５は、床下空間１０１の汚れた空気を、換気空間６００Ａを経由せずに直接、筒状筐体２外に排気する。連続ファン３５によって、換気部６だけでなく換気部６から最も離れた側壁３Ａ，３Ａにも排気手段を設けることで、筒状筐体２に換気死角が発生することを抑制することができる。
【００５９】
このように、本実施形態に係る畜舎１Ａによっても、感染症の侵入の抑制、飼育室１００Ａ，１００Ｂの衛生の保持等、第一実施形態と略同等の効果を奏することができる。
【００６０】
以上、本考案に係る実施形態について説明したが、本考案は、前述の実施形態に限られず、各構成要素については、本考案の趣旨を逸脱しない範囲で適宜追加や変更が可能である。たとえば、給気部は筐体に設けてもよいし、筐体と側壁の両方に設けてもよい。筐体が軸方向に長い場合は、二つの換気部によって床上空間を三つの飼育室に分割してもよいし、より多くの換気部と多くの飼育室を備えるものとしてもよい。
【符号の説明】
【００６１】
１，１Ａ                        畜舎
１００Ａ，１００Ｂ              飼育室
１０１                          床下空間
２                              筒状筐体（筐体）
３，３Ａ                        側壁
３１，３２１                    給気部
３２                            扉
３３                            オーバーフロー管
３４                            フード
３５                            連続ファン
４                              取り付け台座
５Ａ，５Ｂ                      床
６，６Ａ                        換気部
６０Ａ，６０Ｂ，６０Ｃ，６０Ｄ  内壁
６１                            内部窓
６２                            内部扉
６００，６００Ａ                換気空間（ダクトリング）
６２０，６２０Ａ                内部通路
６２１，６２１Ａ                連絡路
６３                            換気装置
６４                            非常換気装置
【図１】
0003226692.tif 000003
【図２】
0003226692.tif 000004
【図３】
0003226692.tif 000005
【図４】
0003226692.tif 000006
【図５】
0003226692.tif 000007
【図６】
0003226692.tif 000008
【図７】
0003226692.tif 000009
【図８】
0003226692.tif 000010
【図９】
0003226692.tif 000011
【図１０】
0003226692.tif 000012
【手続補正書】
【提出日】令和2年3月30日(2020.3.30)
【手続補正１】
【補正対象書類名】実用新案登録請求の範囲
【補正対象項目名】全文
【補正方法】変更
【補正の内容】
【実用新案登録請求の範囲】
【請求項１】
ＦＲＰを主体として構成され、横置きに設置される筐体と、
前記筐体の軸方向に並設される少なくとも二枚の床と、
各前記床ごとに、当該床の上方に設けられた飼育室と、
前記床の下方にそれぞれ設けられた床下空間と、
前記飼育室の間に設けられて、前記飼育室の空気を排気する換気部と、
前記飼育室に設けられ、前記飼育室内に外気を給気する給気部と、を備え、
前記床は、前記飼育室で飼育される家畜の糞尿が落下可能な複数の孔部を有し、
前記換気部は、内壁同士に挟まれ前記床下空間と連通する換気空間および換気装置を備えており、
前記換気装置は、前記換気部を挟んで隣り合う各前記飼育室内の空気を、前記孔部と前記床下空間とを介して前記換気空間に導入し、前記筐体外に排気することを特徴とする畜舎。
【請求項２】
前記換気部は、隣り合う前記飼育室を家畜が行来可能な内部通路を備え、
前記内部通路の両端には内部扉が設けられていることを特徴とする請求項１に記載の畜舎。
【請求項３】
前記換気部の上部に、前記飼育室と通じる内部窓を備えることを特徴とする請求項１または請求項２に記載の畜舎。